(57)【要約】使い捨て飲料容器（３２）用の蓋（３０）。この蓋（３０）は前記容器（３２）の内容物（４０）からまたは前記容器の内容物への熱の伝達に応答して予め定めた非周囲温度に達するとき色が変わるようになされるサーモクロミック特性を有する少なくとも１つの領域を含んでいる。また、開示されるのは、容器（６８）の外部側壁（６６）に大きさおよび形状において実質上対応する１または複数のない部分側壁（６４）を有する少なくとも１つの凹所（６２）を含んでいる蓋（６０）である。蓋内部側壁（６４）は、実質上それらの表面積全体にわたって、他の同様な容器（６８）の外部側壁（６６）に固定して摩擦係合するようになされている。
2004520239.tif 000002
【特許請求の範囲】
【請求項１】
使い捨て飲料容器用の蓋において、前記容器の内容物からまたは前記容器の内容物への熱の伝達に応答して予め定めた非周囲温度に達するとき色が変わるようになされるサーモクロミック特性を有する少なくとも１つの領域を含んでいることを特徴とする使い捨て飲料容器用の蓋。
【請求項２】
前記領域が実質上前記蓋のすべてであることを特徴とする請求項１に記載の使い捨て飲料容器用の蓋。
【請求項３】
前記蓋が前記容器の開放端に実質上密封して係合するようになされたスカート部分を含むことを特徴とする請求項１に記載の使い捨て飲料容器用の蓋。
【請求項４】
前記領域が、前記内容物が予め定めた非周囲温度にあるとき、第１のカラーからこの第１のカラーより明るいかまたは暖かいトーンの、第２のカラーに変化することを特徴とする請求項１〜３のいずれか１項に記載の使い捨て飲料容器用の蓋。
【請求項５】
前記領域が、前記内容物が予め定めた、加熱された非周囲温度にあるとき、明るい赤色カラーに変化することを特徴とする請求項１〜３のいずれか１項に記載の使い捨て飲料容器用の蓋。
【請求項６】
前記領域が、前記内容物が予め定めた加熱された非周囲温度以下にあるとき、バイオレットであることを特徴とする請求項５に記載の使い捨て飲料容器用の蓋。
【請求項７】
前記予め定めた加熱された非周囲温度がおよそ４５°Ｃであることを特徴とする請求項６に記載の使い捨て飲料容器用の蓋。
【請求項８】
前記領域が、前記内容物が予め定めた冷却された非周囲温度にあるとき、青色に変化することを特徴とする請求項１〜３のいずれか１項に記載の使い捨て飲料容器用の蓋。
【請求項９】
前記領域が、前記内容物が予め定めた、冷却された非周囲温度以上にあるとき、バイオレットであることを特徴とする請求項９に記載の使い捨て飲料容器用の蓋。
【請求項１０】
前記予め定めた、冷却された非周囲温度がおよそ５°Ｃであることを特徴とする請求項６に記載の使い捨て飲料容器用の蓋。
【請求項１１】
前記蓋が、前記領域が温度屈性の特性を有する材料で含浸または混合されるプラスチック材料から形成されることを特徴とする請求項１〜１０のいずれか１項に記載の使い捨て飲料容器用の蓋。
【請求項１２】
サーモクロミック特性を有する前記材料がサーモクロミック顔料、樹脂等であることを特徴とする請求項１１に記載の使い捨て飲料容器用の蓋。
【請求項１３】
サーモクロミック特性を有する前記材料がクロミカラー（CHROMICOLOR）（登録商標）であることを特徴とする請求項１２に記載の使い捨て飲料容器用の蓋。
【請求項１４】
前記領域が、前記内容物が予め定めた非周囲温度にあるとき、前記蓋の残部に対して単語、記号またはパターンを形成することを特徴とする請求項１〜１３のいずれか１項に記載の使い捨て飲料容器用の蓋。
【請求項１５】
前記領域が、その温度が周囲以上であるとき前記予め定めた非周囲温度以下に降下するかまたはその温度が周囲以下であるとき前記予め定めた非周囲温度以上に上昇する領域の温度に応答してそれらの元のカラーに戻るようになされることを特徴とする請求項１〜１５のいずれか１項に記載の使い捨て飲料容器用の蓋。
【請求項１６】
前記蓋が、各々前記容器の内容物からまたは前記容器の内容物への熱の伝達に応答して異なっている非周囲温度に達するとき異なるカラーに変わるようになされる異なるサーモクロミック特性を有する少なくとも２つの領域を含んでいることを特徴とする請求項１〜１５のいずれか１項に記載の使い捨て飲料容器用の蓋。
【請求項１７】
前記蓋が同時に押し出し成形された外方および内方層から形成されそしてサーモクロミック特性を有する領域が外方層のみであることを特徴とする請求項１〜１６のいずれか１項に記載の使い捨て飲料容器用の蓋。
【請求項１８】
使い捨て飲料容器用の蓋において、前記容器が１または複数の外部側壁によって画成される開放端および閉止端を有し、前記蓋が大きさおよび形状において前記容器の外部側壁に実質上対応する内部側壁を有する少なくとも１つの領域を含んでおり、そのさい前記蓋内部側壁が実質上それらの表面積全体にわたって、他の同様な容器の外部側壁に固定して摩擦係合するようになされることを特徴とする使い捨て飲料容器用の蓋。
【請求項１９】
前記蓋内部側壁が前記他の同様な容器の高さのほぼ５ないし１５％にわたって前記他の同様な容器の外部側壁に係合することを特徴とする請求項１８に記載の使い捨て飲料容器用の蓋。
【請求項２０】
前記蓋内部側壁が前記他の同様な容器の高さのほぼ１０％にわたって前記他の同様な容器の外部側壁に係合することを特徴とする請求項１９に記載の使い捨て飲料容器用の蓋。
【請求項２１】
前記蓋内部側壁が前記他の同様な容器の高さのほぼ５ないし１５ｍｍにわたって前記他の同様な容器の外部側壁に係合することを特徴とする請求項１８に記載の使い捨て飲料容器用の蓋。
【請求項２２】
前記蓋内部側壁が前記他の同様な容器の高さのほぼ１０ｍｍにわたって前記他の同様な容器の外部側壁に係合することを特徴とする請求項２１に記載の使い捨て飲料容器用の蓋。
【請求項２３】
前記蓋が各々前記蓋内部側壁を有する２つの凹所を含み、一方の凹所が他の同様な容器の前記閉止端に摩擦係合するようになされそして他方の凹所が同様な容器より小さいかまたは大きい大きさの他の容器の閉止端に摩擦係合するようになされることを特徴とする請求項１８に記載の使い捨て飲料容器用の蓋。
【請求項２４】
前記容器開放端に隣接する前記凹所が前記容器開放端から離れた凹所より小さいことを特徴とする請求項１９に記載の使い捨て飲料容器用の蓋。
【請求項２５】
各凹所の前記蓋内部側壁が前記他の同様な容器の高さのほぼ２．５ないし７．５％にわたって前記他の同様な容器の外部側壁に係合することを特徴とする請求項２３に記載の使い捨て飲料容器用の蓋。
【請求項２６】
各凹所の前記蓋内部側壁が前記他の同様な容器の高さのほぼ５％にわたって前記他の同様な容器の外部側壁に係合することを特徴とする請求項２５に記載の使い捨て飲料容器用の蓋。
【請求項２７】
前記蓋内部側壁が前記他の同様な容器の高さのほぼ２．５ないし７．５ｍｍにわたって前記他の同様な容器の外部側壁に係合することを特徴とする請求項２３に記載の使い捨て飲料容器用の蓋。
【請求項２８】
各凹所の前記蓋内部側壁が前記他の同様な容器の高さのほぼ５ｍｍにわたって前記他の同様な容器の外部側壁に係合することを特徴とする請求項２７に記載の使い捨て飲料容器用の蓋。
【請求項２９】
前記凹所が実質上筒状であることを特徴とする請求項１８〜２８のいずれか１項に記載の使い捨て飲料容器用の蓋。
【請求項３０】
前記凹所が僅かに外方に向かって円錐状であることを特徴とする請求項１８〜２９のいずれか１項に記載の使い捨て飲料容器用の蓋。
【請求項３１】
前記凹所が、各々、使用において、前記他の同様な容器閉止端の下側に当接するようになされる前記側壁の一端に隣接する平らな表面を含んでいることを特徴とする請求項１８〜３０のいずれか１項に記載の使い捨て飲料容器用の蓋。
【発明の詳細な説明】
【技術分野】
【０００１】
本発明は、使い捨て飲料容器用の蓋に関する。本蓋は、コーヒーのごとき加熱された飲料またはソフトドリンクのごとき冷却された飲料の販売に一般に使用される発泡または紙コップとともに主として使用するために開発され、そして前者の用途に関連して説明される。しかしながら、理解されることは、本発明がこの特定の使用に限定されないということである。
【背景技術】
【０００２】
多数の飲料蓋および関連の容器が知られている。
【発明の開示】
【発明が解決しようとする課題】
【０００３】
公知の幾つかの蓋はＨＯＴ等の小さな印刷されたまたは浮き彫りにされた警告記号を含んでいる。しかしながら、公知の蓋および容器の欠点は、それらが、とくに容器を取り扱わない内容物に、容器の内容物の実際の温度の評価された指示を設けないことである。かかる評価された指示は以下で説明されるような多数の理由のために望ましい。２つのかかる理由の例は加熱された容器内容物を運ぶときの改善された安全性および予め定めた温度の内容物を期待している消費者の改善された品質管理である。
【０００４】
また、積み重ねのために容器の下側を受容するための凹まされた外面を有する蓋も知られている。しかしながら、かかる公知の蓋および容器の欠点は、それらが、積み重ねられた蓋付きの容器安全な搬送を設けるのに十分な、蓋と容器との間の安全な係合を設けないということである。
【０００５】
本発明の目的は、１またはそれ以上の上記欠点を実質上克服または改良することにある。
【課題を解決するための手段】
【０００６】
したがって、第１の態様において、本発明は、使い捨て飲料容器用の蓋を提供し、この蓋が、前記容器の内容物からまたは前記容器の内容物への熱の伝達に応答して予め定めた非周囲温度に達するとき色が変わるようになされるサーモクロミック特性を有する少なくとも１つの領域を含んでいる。
【０００７】
１つの形状において、前記領域は実質上前記蓋のすべてである。他の形状において、前記蓋は前記容器の開放端に実質上密封して係合するようになされたスカート部分を含みそして前記領域はスカート部分である。
【０００８】
前記領域は、好ましくは、前記内容物が予め定めた非周囲温度にあるとき、第１のカラーからこの第１のカラーより明るいかまたは暖かいトーンの、第２のカラーに変化する。
【０００９】
実施の形態において、前記領域は、内容物が予め定めた加熱された非周囲温度にあるとき、明るい赤色に変化する。前記領域は、好ましくは、内容物が予め定めた加熱された非周囲温度以下にあるとき、バイオレットである。前記予め定めた加熱された非周囲温度は、好ましくは、およそ４５°Ｃである。
【００１０】
他の実施の形態において、前記領域は、前記内容物が予め定めた冷却された非周囲温度にあるとき、青色にカラーを変化する。前記領域は、好ましくは、前記内容物が予め定めた冷却された非周囲温度以上にあるとき、バイオレットである。前記予め定めた冷却された非周囲温度はおよそ５°Ｃである。
【００１１】
蓋は、望ましくは、前記領域が温度屈性の特性を有する材料で含浸または混合されるプラスチック材料から形成される。サーモクロミック特性を有する前記材料が、望ましくは、サーモクロミック顔料、樹脂等、最も望ましくはクロミカラー（CHROMICOLOR:登録商標）である。
【００１２】
前記領域は、前記内容物が予め定めた非周囲温度にあるとき、前記蓋の残部に対して単語、記号またはパターンを好ましくは形成する。
【００１３】
前記領域が、好ましくは、その温度が周囲以上であるとき前記予め定めた非周囲温度以下に降下するかまたはその温度が周囲以下であるとき前記予め定めた非周囲温度以上に上昇する領域の温度に応答してそれらの元のカラーに戻るようになされる。
【００１４】
他の形状において、蓋は各々前記容器の内容物からまたは前記容器の内容物への熱の伝達に応答して異なっている非周囲温度に達するとき異なるカラーに変わるようになされる異なるサーモクロミック特性を有する少なくとも２つの領域を含んでいる。
【００１５】
蓋は、好ましくは、好ましくは、同時に押し出し成形された外方および内方層から形成されそしてサーモクロミック特性を有する領域が外方層のみである。
【００１６】
第２の態様において、本発明は使い捨て飲料容器用の蓋を提供し、前記容器が１または複数の外部側壁によって画成される開放端および閉止端を有し、前記蓋が大きさおよび形状において前記容器の外部側壁に実質上対応する内部側壁を有する少なくとも１つの領域を含んでおり、そのさい前記蓋内部側壁が実質上それらの表面積全体にわたって、他の同様な容器の外部側壁に固定して摩擦係合するようになされる。
【００１７】
前記蓋内部側壁は、好ましくは、前記他の同様な容器の高さのほぼ５ないし１５％にわたって前記他の同様な容器の外部側壁に係合する。より好ましくは、前記蓋内部側壁は前記他の同様な容器の高さのほぼ１０％にわたって前記他の同様な容器の外部側壁に係合する。
【００１８】
前記蓋内部側壁は、好ましくは、前記他の同様な容器の高さのほぼ５ないし１５ｍｍにわたって前記他の同様な容器の外部側壁に係合する。より好ましくは、前記蓋内部側壁は前記他の同様な容器の高さのほぼ１０ｍｍにわたって前記他の同様な容器の外部側壁に係合する。
【００１９】
実施の形態において、前記蓋は各々前記蓋内部側壁を有する２つの凹所を含み、一方の凹所が他の同様な容器の前記閉止端に摩擦係合するようになされそして他方の凹所が同様な容器より小さいかまたは大きい大きさの他の容器の閉止端に摩擦係合するようになされる。この実施の形態において、前記容器開放端に隣接する前記凹所は前記容器開放端から離れた凹所より小さい。
【００２０】
各凹所の前記蓋内部側壁は、好ましくは、前記他の同様な容器の高さのほぼ２．５ないし７．５％にわたって前記他の同様な容器の外部側壁に係合する。より好ましくは、各凹所の前記蓋内部側壁は前記他の同様な容器の高さのほぼ５％にわたって前記他の同様な容器の外部側壁に係合する。
【００２１】
前記蓋内部側壁は、好ましくは、前記他の同様な容器の高さのほぼ２．５ないし７．５ｍｍにわたって前記他の同様な容器の外部側壁に係合する。より好ましくは、各凹所の前記蓋内部側壁は前記他の同様な容器の高さのほぼ５ｍｍにわたって前記他の同様な容器の外部側壁に係合する。
【００２２】
前記凹所は、望ましくは、実質上筒状である。
【００２３】
前記凹所は、望ましくは、僅かに外方に向かって円錐状である。
【００２４】
前記凹所は、望ましくは、各々、使用において、前記他の同様な容器閉止端の下側に当接するようになされる前記側壁の一端に隣接する平らな表面を含んでいる。
【００２５】
本発明の好適な実施の形態は、以下で、添付図面を参照して、例としてのみ説明される。
【発明を実施するための最良の形態】
【００２６】
まず、図１ないし図３を参照すると、本発明の第１の実施の形態による蓋３０が示されている。この蓋３０はコーヒーの販売に一般的に使用されるような、ポリスチレンコップ３２の形において、使い捨て飲料容器による使用に供される。コップ３２は円形の周縁部３４によって取り囲まれた開放端および円形の平らな基部３６によって画成された閉止端を含んでいる。蓋３０は、当該技術において良く知られているような、コップ３２の周縁部３４と実質上密封して係合するようになされた周辺スカート部分３８を含んでいる。
【００２７】
蓋３０の構造および外部形状は、蓋３０が、また、以下でより詳細に説明されるように、サーモクロミック特性、好ましくは、サーモクロミック顔料を有する材料をその中に含んでいることを除いて、公知の市場で入手可能な高衝撃のポリスチレン（ＨＩＰＳ）蓋と実質上同一である。サーモクロミック顔料を含んでいるがそれに限定されない、サーモクロミック特性を有する材料、また、公知である。要するに、サーモクロミック特性を有する材料は予め定めた温度（以後、サーモクロミック活性温度と称する）に達するときカラー（以後、サーモクロミック活性カラーと称する）を変化する。カラーは通常活性温度近傍から漸進的でありかつ活性温度によって完成する。例えば、４５°Ｃの活性温度を有するサーモクロミック顔料はほぼ４５°Ｃでサーモクロミック活性カラーに変化し始め、カラー変化は４５°Ｃによって完了される。
【００２８】
使用において、コップ３２は、本実施の形態において、ホットコーヒーである、内容物４０で充填される。コップ３２が内容物４０で充填された後、蓋３０は周縁部３４のまわりでコップ３２の開放端を密封するように公知の方法において適用される。その場合に熱伝達が、矢印４２によって総括的に示されるように、加熱された内容物４０と（周囲温度）蓋３０との間に発生する。熱伝達が周囲温度から蓋３０内のサーモクロミック顔料の予め定めたサーモクロミック活性温度に蓋３０を加熱するのに十分であるとき、顔料のサーモクロミック特性は、図３に示される蓋の陰影を付けた部分によって示されるように、カラーを変えるような蓋３０を生じる。例として、蓋３０がホットコーヒーのコップに使用されるとき、サーモクロミック顔料は４５°Ｃのサーモクロミック活性温度および明るい赤のサーモクロミック活性カラーにより選ばれる。
【００２９】
図１ないし図３に関連して説明されたように、過熱された飲料に使用されるとき、蓋３０は、好ましくは、周囲温度にあるときバイオレットまたは同様なカラーをそしてコップ３２の内容物が熱いことを直観的に理解できる指示を設ける、サーモクロミック活性温度に加熱されるとき明るい赤色を呈する。
【００３０】
内容物４０、かつしたがって蓋３０が、サーモクロミック活性温度以下に冷えたとき、蓋３０は内容物４０が冷えたことを示すようにその元のカラーに戻る。
【００３１】
コップ３２が冷却された飲料により使用されるとき、サーモクロミック顔料は、例えば、５°Ｃのサーモクロミック活性温度および青の活性カラーにより選択される。蓋３０が冷却された内容物４０への（周囲温度）蓋３０からの熱伝達により５°Ｃに冷却されたとき、蓋３０は内容物が予め定めた冷却された温度にあることを示すように青色に変わる。再び、内容物４０、かつしたがって、蓋３０がサーモクロミック活性温度以上に温まるとき、蓋３０は内容物４０がもはや冷却されないことを指示するようにその元のバイオレットカラーに戻る。
【００３２】
図４は本発明の第２の実施の形態による蓋４４を示しそして第１の実施の形態を説明するのに使用された参照番号と同様な参照番号が同様な特徴を示すように使用される。蓋４４は、それが蓋４４をコップ３２から取り外すことなく使用者に内容物４０を消費させるための開口４５ａおよび蓋４４に貼付されるような広告、消費者または他の情報または指示を許容するようにサーモクロミック特性のない区域４５ｂを含むことを除いて、第１の実施の形態による蓋３２と同じである。
【００３３】
図５は本発明の第３の実施の形態による蓋４６を示しそして第１および第２の実施の形態を説明するのに使用された参照番号と同様な参照番号が同様な特徴を示すように使用される。蓋４６は、また、蓋の種々の領域が、蓋の種々の部分、例えば、周縁部４８、蓋側壁５０および頂部５２が、漸進的な温度指示を設けるように、種々の温度（例えば、それぞれ４０，４５および５０°Ｃ）でカラーを変えるように各々形作られ得るように種々の活性温度のサーモクロミック顔料を使用して製造されたことを除いて、本発明の第１の実施の形態による蓋３０と同じである。
【００３４】
図６ないし図９は本発明の第４の実施の形態による蓋５４を示しそして前記の実施の形態を説明するのに使用された参照番号と同様な参照番号が同様な特徴を示すように使用される。蓋５４は、それが僅かにより上昇された頂部面５６を有することを除いて、本発明の第１の実施の形態による蓋３０と同じである。さらに重要なことには、蓋５４はコップ３２の周縁部３４と実質上密封して係合するようになされるスカート部分３８を含んでいる。
【００３５】
以前の実施の形態によるように、図７に示した蓋５４の陰影を付けた部分は蓋５４内のサーモクロミック顔料が、コップ３２の内容物４０からの熱伝達が蓋５４を予め定めたサーモクロミック活性温度に達せさせるときカラーを変化させることを示している。
【００３６】
図８は、コップ３２およびスカート部分３８に正しく当てられた蓋５４がその周部全体のまわりでコップ３２の周縁部３４を被覆し、かつそれと係合されるときの蓋５４とコップ３２を示している。この位置において、周縁部３４はコップ３２の内容物４０との熱伝達からスカート部分３８を効果的に絶縁している。したがって、示されるように、スカート部分３８以外の蓋５４の部分５８のみが予め定めたサーモクロミック活性温度に達するときカラーを変える。しかしながら、図９に示されるように、スカート部分３８が周縁部３４に対して完全に密封されないならば、その場合に熱い蒸気等がスカート部分３８の密封されない部分と周縁部３４との間のギャップを通過し、スカート部分３８の密封されない部分３８ａにおいて熱伝達および関連のカラー変化を生じる。したがって、スカート部分３８を含んでいる蓋５４のすべて、またはスカート部分３８のみへのサーモクロミック材料の応用は、零れ落ち等の回避のために、オペレータエラーにより発生し得るように、蓋５４がコップ３２に関連して適切に密封されるかどうかについての目視指示を設けるのに使用され得る。
【００３７】
上述された蓋の実施の形態は、好ましくは、すべて鋳造され、とくに鋳造の前に溶融されたプラスチック材料（ＨＩＰＳ）に導入されたサーモクロミック顔料とともに、真空鋳造される。蓋のサーモクロミック領域を製造する好適な方法はＨＩＰＳの２つの層を同時に押し出し成形することを含んでいる。ＨＩＰＳの内方層（すなわち、使用においてコップの内容物に隣接している層）は普通にかつ蓋への色の深さを付加するために白または灰色トーンの基礎顔料で製造される。外方層（すなわち、使用において、コップの内容物から離れている層）は、ほぼ７ないし２０、好ましくは、１０重量％のサーモクロミック顔料およびサーモクロミック顔料の活性化されたカラーと同じカラーの標準の顔料２ないし３％が追加された明るいＨＩＰＳから製造される。サーモクロミック顔料それら自体は、例えば、Ｆ４，Ｇ７またはＪ８で示されかつアメリカ合衆国、ＣＡ、ガーデナのマツイ・インターナショナル社によって商標クロミカラー（ＣＨＲＯＭＩＣＯＬＯＲ）で販売される顔料を含んでいる幾つかの製造業者から市場で入手可能である。
【００３８】
上述された実施の形態による蓋の利点は多数ある。例えば、蓋は容器により個々に対する加熱を含むような熱い飲料、およびその中に収容され熱くかつ潜在的に危険な内容物であるようにアプローチすることができる飲料の場合に使用されることができる。冷却された飲料の場合に、前述された蓋の実施の形態は内容物が消費者によって期待される温度に冷却された指示を設ける。
【００３９】
蓋は、また、減少された視力、指の麻痺を有する個人または暗い環境において容器を取り扱う者への改良された温度の指示を設ける。
【００４０】
図１０および図１１は本発明の第５の実施の形態による蓋６０を示している。この蓋６０は平らな表面６４のまわりに実質上筒状の僅かに外方に向かって円錐の内部側壁６３を有する凹所６１を含んでいる。蓋６０は、また、当該技術において良く知られるような、通気孔６５を含んでいる。
【００４１】
図１１に最も良く示されるように、内部側壁６３は、コップ６８のごとき、関連の容器の閉止端を画成する外部側壁６６に対して大きさおよび形状において実質上対応する。したがって、容器６８の閉止端が蓋６０の凹所６１内に位置決めされるとき、蓋内部側壁６３は、実質上その表面積全体にわたって、容器６８の外部側壁６６に固定して摩擦係合する。とくに、標準容量８オンス（２３７ｍｌｓ）のコーヒーカップに関連して、側壁６４および６６は容器の高さのほぼ１０ｍｍ（１０％）にわたって係合する。
【００４２】
図１２および図１３は本発明の第６の実施の形態による蓋７０を示しそして第５の実施の形態を説明するのに使用された参照番号と同様な参照番号が同様な特徴を示すように使用される。蓋７０は、内部側壁６３が蓋集部分全体のまわりに延びずかつ代わって飲み口７２を設けるための室を許容するように除去された部分を有することを除いて、第５の実施の形態による蓋６０と同じである。
【００４３】
図１４は本発明の第７の実施の形態による蓋７４を示しそして第６の実施の形態を説明するのに使用された参照番号と同様な参照番号が同様な特徴を示すように使用される。蓋７４は、凹所６１がより深くかつ容器の高さのほぼ２０ｍｍ（１０％）にわたって対応する容器（図示せず）の外部側壁と係合する側壁７６を設けることを除いて、第５の実施の形態による蓋６０と実質上同一である。
【００４４】
図１５および図１７は本発明の第８の実施の形態による蓋７８を示しそして第５ないし第７の実施の形態を説明するのに使用された参照番号と同様な参照番号が同様な特徴を示すように使用される。蓋７８は、それがそれぞれの側壁６３ａおよび６３ｂによって取り囲まれた２つの凹所６1ａおよび６１ｂを含むことを除いて第７の実施の形態の蓋７４と実質上同一である。凹所６1ａは、使用において、関連のコップの開放端に隣接しておりかつコップの開放端から離れかつ比較的大きな容器に係合するようになされる、凹所６１ｂに比してより小さい容器に係合するようになされる。これはより大きなまたはより小さな大きさのコップの１つを密封するような蓋７８を許容しかつ積み重ねによりそれとともに係合されるより大きなまたはより小さな大きさのコップの他方（示されるより大きい３２のコップ）を有している。
【００４５】
図１６は本発明の第９の実施の形態による蓋８２を示しそして第５ないし第８の実施の形態を説明するのに使用された参照番号と同様な参照番号が同様な特徴を示すように使用される。蓋８２は、それが飲み口８４および蓋８２の構造的剛性を増大するのに役立つ外部窪み８４を含むことを除いて第８の実施の形態の蓋７８と実質上同一である。
【００４６】
図１８は本発明の第１０の実施の形態による蓋９０を示しそして第５ないし第９の実施の形態を説明するのに使用された参照番号と同様な参照番号が同様な特徴を示すように使用される。蓋９０は、凹所６1ａおよび６１ｂの下方縁部が紙コップ９４の下側の周縁部９６を受容しかつ係合するのに役立つ、それぞれ溝９２ａおよび９２ｂとして連続することを除いて第９の実施の形態の蓋８６と実質上同一である。より小さなコップと係合している蓋９０を示している。
【００４７】
本発明の第５ないし第１２の実施の形態による蓋の主たる利点は、それらが対応して寸法付けられた容器の下側と固定把持係合を設けることであり、そのようにすると、蓋が第１の容器に固定されるとき、それらは多数の積み重ねられた容器を支持する容易さを設けるような固定方法において第２の積み重ねられた容器と係合され得る。
【００４８】
本発明は特別な例に関連して説明されたけれども、当該技術に熟練した者に理解されることは、本発明は多数の他の形状において実施され得るということである。とくに、最初の５つの実施の形態のサーモクロミック特徴は第６ないし第１２の実施の形態の積み重ねの特徴と合体されることができかつその逆も可能である。
【図面の簡単な説明】
【００４９】
【図１】本発明の第１の実施の形態による蓋および対応して寸法付けられた容器の側面図である。
【図２】図１に示された蓋および容器の第１の斜視図である。
【図３】図１に示された蓋および容器の第２の斜視図である。
【図４】本発明の第２の実施の形態による蓋および対応して寸法付けられた容器の斜視図である。
【図５】本発明の第３の実施の形態による蓋および対応して寸法付けられた容器の斜視図である。
【図６】本発明の第４の実施の形態による蓋および対応して寸法付けられた容器の側面図である。
【図７】図６に示した蓋および容器の第２の側面図である。
【図８】図６に示した蓋および容器の第３の側面図である。
【図９】図６に示した蓋および容器の第４の側面図である。
【図１０】本発明の第５の実施の形態による蓋の斜視図である。
【図１１】図１０に示した蓋の断面側面図である。
【図１２】本発明の第６の実施の形態による蓋の斜視図である。
【図１３】図１２に示した蓋の断面側面図である。
【図１４】本発明の第７の実施の形態による蓋の斜視図である。
【図１５】本発明の第８の実施の形態による蓋の斜視図である。
【図１６】本発明の第９の実施の形態による蓋の斜視図である。
【図１７】図１５に示した蓋の断面側面図である。
【図１８】本発明の第１０の実施の形態による蓋の断面側面図である。
【国際公開パンフレット】
2004520239.tif 000003
2004520239.tif 000004
2004520239.tif 000005
2004520239.tif 000006
2004520239.tif 000007
2004520239.tif 000008
2004520239.tif 000009
2004520239.tif 000010
2004520239.tif 000011
2004520239.tif 000012
2004520239.tif 000013
2004520239.tif 000014
2004520239.tif 000015
2004520239.tif 000016
2004520239.tif 000017
2004520239.tif 000018
2004520239.tif 000019
2004520239.tif 000020
2004520239.tif 000021
2004520239.tif 000022
2004520239.tif 000023
2004520239.tif 000024
2004520239.tif 000025
【手続補正書】
【提出日】平成15年8月29日(2003.8.29)
【手続補正１】
【補正対象書類名】特許請求の範囲
【補正対象項目名】請求項１
【補正方法】変更
【補正の内容】
【請求項１】
使い捨て飲料容器に対して密封完全性を指示するようになされた蓋において、前記容器の開放端に対して密封するようになされかつサーモクロミック特性を有するスカート部分を含みそれによって前記スカート部分が前記容器の内容物からまたは前記容器の内容物への熱の伝達に応答して予め定めた非周囲温度に達するとき色が変わるようになされることを特徴とする使い捨て飲料容器用の蓋。
【手続補正２】
【補正対象書類名】特許請求の範囲
【補正対象項目名】請求項２
【補正方法】変更
【補正の内容】
【請求項２】
使い捨て飲料容器に対して密封完全性を指示するようになされた蓋において、前記容器の開放端に対して密封するようになされかつサーモクロミック特性を有するスカート部分を含みそれによって前記スカート部分が前記容器の内容物からまたは前記容器の内容物への熱の伝達に応答して予め定めた非周囲温度に達するとき色が変わるようになされ、
前記スカート部分が容器端部の実質上すべてに対して密封されるとき、前記端部が熱伝達から実質上前記スカート部分を絶縁しかつ色の変化を発生せずそれにより密封完全性を指示し、そして
前記蓋が容器端部の実質上すべてに対して密封されないとき、熱伝達が前記スカート部分の密封されない部分を生じ、前記スカート部分の密封されない部分に前記カラー変化を発生しそれによって密封完全性の不足を目視指示することを特徴とする使い捨て飲料容器に対して密封完全性を指示するようになされた使い捨て飲料容器用の蓋。
【手続補正３】
【補正対象書類名】特許請求の範囲
【補正対象項目名】請求項３
【補正方法】変更
【補正の内容】
【請求項３】
前記蓋がともに押し出し成形された内方および外方層から形成されており、前記外方層がサーモクロミック特性を有する少なくとも１つの領域を含み、その領域が前記容器の内容物からまたは前記容器の内容物への熱の伝達に応答して予め定めた非周囲温度に達するとき色が変わるようになされることを特徴とする使い捨て飲料容器用の蓋。
【手続補正４】
【補正対象書類名】特許請求の範囲
【補正対象項目名】請求項４
【補正方法】変更
【補正の内容】
【請求項４】
前記蓋が前記容器の開放端に実質上密封して係合するようになされたスカート部分を含みかつ前記領域がスカート部分であることを特徴とする請求項３に記載の使い捨て飲料容器用の蓋。
【手続補正５】
【補正対象書類名】特許請求の範囲
【補正対象項目名】請求項５
【補正方法】変更
【補正の内容】
【請求項５】
前記スカート部分が、前記内容物が予め定めた非周囲温度にあるとき、第１のカラーから、第１のカラーより明るいかまたは暖かいトーンの、第２のカラーに変化することを特徴とする請求項１、２、４のいずれか１項に記載の使い捨て飲料容器用の蓋。
【手続補正６】
【補正対象書類名】特許請求の範囲
【補正対象項目名】請求項６
【補正方法】変更
【補正の内容】
【請求項６】
前記スカート部分が、前記内容物が予め定めた加熱された非周囲温度にあるとき明るい赤色カラーに変化することを特徴とする請求項１、２、４のいずれか1項に記載の使い捨て飲料容器用の蓋。
【手続補正７】
【補正対象書類名】特許請求の範囲
【補正対象項目名】請求項７
【補正方法】変更
【補正の内容】
【請求項７】
前記スカート部分が、前記内容物が予め定めた加熱された非周囲温度以下にあるとき、バイオレットであることを特徴とする請求項５に記載の使い捨て飲料容器用の蓋。
【手続補正８】
【補正対象書類名】特許請求の範囲
【補正対象項目名】請求項８
【補正方法】変更
【補正の内容】
【請求項８】
前記予め定めた、加熱された非周囲温度がおよそ４５°Ｃであることを特徴とする請求項６または７に記載の使い捨て飲料容器用の蓋。
【手続補正９】
【補正対象書類名】特許請求の範囲
【補正対象項目名】請求項９
【補正方法】変更
【補正の内容】
【請求項９】
前記スカート部分が、予め定めた、冷却された非周囲温度にあるとき、青色に変化することを特徴とする請求項１、２、４のいずれか１項に記載の使い捨て飲料容器用の蓋。
【手続補正１０】
【補正対象書類名】特許請求の範囲
【補正対象項目名】請求項１０
【補正方法】変更
【補正の内容】
【請求項１０】
前記スカート部分が、予め定めた、冷却された非周囲温度以上にあるとき、バイオレットであることを特徴とする請求項９に記載の使い捨て飲料容器用の蓋。
【手続補正１１】
【補正対象書類名】特許請求の範囲
【補正対象項目名】請求項１１
【補正方法】変更
【補正の内容】
【請求項１１】
前記予め定めた、冷却された非周囲温度がおよそ５°Ｃであることを特徴とする請求項９または１０に記載の使い捨て飲料容器用の蓋。
【手続補正１２】
【補正対象書類名】特許請求の範囲
【補正対象項目名】請求項１２
【補正方法】変更
【補正の内容】
【請求項１２】
前記蓋がプラスチック材料から形成されかつ温度屈性の特性を有する材料で含浸または混合される領域を含むことを特徴とする請求項１〜１１のいずれか１項に記載の使い捨て飲料容器用の蓋。
【手続補正１３】
【補正対象書類名】特許請求の範囲
【補正対象項目名】請求項１３
【補正方法】変更
【補正の内容】
【請求項１３】
サーモクロミック特性を有する前記材料がサーモクロミック顔料、樹脂等であることを特徴とする請求項１２に記載の使い捨て飲料容器用の蓋。
【手続補正１４】
【補正対象書類名】特許請求の範囲
【補正対象項目名】請求項１４
【補正方法】変更
【補正の内容】
【請求項１４】
サーモクロミック特性を有する前記材料がクロミカラー(CHROMICOLOR：登録商標)であることを特徴とする請求項１３に記載の使い捨て飲料容器用の蓋。
【手続補正１５】
【補正対象書類名】特許請求の範囲
【補正対象項目名】請求項１５
【補正方法】変更
【補正の内容】
【請求項１５】
前記領域が、前記内容物が予め定めた非周囲温度にあるとき、前記蓋の残部に対して単語、記号またはパターンを形成することを特徴とする請求項１２〜１４のいずれか１項に記載の使い捨て飲料容器用の蓋。
【手続補正１６】
【補正対象書類名】特許請求の範囲
【補正対象項目名】請求項１６
【補正方法】変更
【補正の内容】
【請求項１６】
前記領域が、その温度が周囲以上であるとき前記予め定めた非周囲温度以下に降下するかまたはその温度が周囲以下であるとき前記予め定めた非周囲温度以上に上昇する領域の温度に応答してそれらの元のカラーに戻るようになされることを特徴とする先行する請求項１２〜１５のいずれか１項に記載の使い捨て飲料容器用の蓋。
【手続補正１７】
【補正対象書類名】特許請求の範囲
【補正対象項目名】請求項１７
【補正方法】変更
【補正の内容】
【請求項１７】
前記蓋が、各々前記容器の内容物からまたは前記容器の内容物への熱の伝達に応答して異なっている非周囲温度に達するとき異なるカラーに変わるようになされる異なるサーモクロミック特性を有する少なくとも２つの領域を含んでいることを特徴とする先行する請求項１２〜１６のいずれか１項に記載の使い捨て飲料容器用の蓋。
【手続補正１８】
【補正対象書類名】特許請求の範囲
【補正対象項目名】請求項１８
【補正方法】変更
【補正の内容】
【請求項１８】
使い捨て飲料容器用の蓋において、前記容器が１または複数の外部側壁によって画成される開放端および閉止端を有し、前記蓋が大きさおよび形状において前記容器の外部側壁に実質上対応する内部側壁を有する少なくとも１つの領域を含んでおり、そのさい前記蓋内部側壁が実質上それらの表面積全体にわたって、他の同様な容器の外部側壁に固定して摩擦係合するようになされることを特徴とする使い捨て飲料容器用の蓋。
【手続補正１９】
【補正対象書類名】特許請求の範囲
【補正対象項目名】請求項１９
【補正方法】変更
【補正の内容】
【請求項１９】
前記蓋内部側壁が前記他の同様な容器の高さのほぼ５ないし１５％にわたって前記他の同様な容器の外部側壁に係合することを特徴とする請求項１８に記載の使い捨て飲料容器用の蓋。
【手続補正２０】
【補正対象書類名】特許請求の範囲
【補正対象項目名】請求項２０
【補正方法】変更
【補正の内容】
【請求項２０】
前記蓋内部側壁が前記他の同様な容器の高さのほぼ１０％にわたって前記他の同様な容器の外部側壁に係合することを特徴とする請求項１９に記載の使い捨て飲料容器用の蓋。
【手続補正２１】
【補正対象書類名】特許請求の範囲
【補正対象項目名】請求項２１
【補正方法】変更
【補正の内容】
【請求項２１】
前記蓋内部側壁が前記他の同様な容器の高さのほぼ５ないし１５ｍｍにわたって前記他の同様な容器の外部側壁に係合することを特徴とする請求項１８に記載の使い捨て飲料容器用の蓋。
【手続補正２２】
【補正対象書類名】特許請求の範囲
【補正対象項目名】請求項２２
【補正方法】変更
【補正の内容】
【請求項２２】
前記蓋内部側壁が前記他の同様な容器の高さのほぼ１０ｍｍにわたって前記他の同様な容器の外部側壁に係合することを特徴とする請求項２１に記載の使い捨て飲料容器用の蓋。
【手続補正２３】
【補正対象書類名】特許請求の範囲
【補正対象項目名】請求項２３
【補正方法】変更
【補正の内容】
【請求項２３】
前記蓋が各々前記蓋内部側壁を有する２つの凹所を含み、一方の凹所が他の同様な容器の前記閉止端に摩擦係合するようになされそして他方の凹所が同様な容器より小さいかまたは大きい大きさの他の容器の閉止端に摩擦係合するようになされることを特徴とする請求項１８に記載の使い捨て飲料容器用の蓋。
【手続補正２４】
【補正対象書類名】明細書
【補正対象項目名】０００６
【補正方法】変更
【補正の内容】
【０００６】
【課題を解決するための手段】
したがって、第１の態様において、本発明は、使い捨て飲料容器に対して密封完全性を指示するようになされた蓋を提供し、この蓋が、前記容器の開放端に対して密封するようになされかつサーモクロミック特性を有するスカート部分を含み、それによってスカート部分が前記容器の内容物からまたは前記容器の内容物への熱の伝達に応答して予め定めた非周囲温度に達するとき色が変わるようになされている。


【手続補正２５】
【補正対象書類名】明細書
【補正対象項目名】０００７
【補正方法】変更
【補正の内容】
【０００７】
第２の態様において、本発明は、使い捨て飲料容器に対して密封完全性を指示するようになされた蓋において、前記容器の開放端に対して密封するようになされかつサーモクロミック特性を有するスカート部分を含みそれによって前記スカート部分が前記容器の内容物からまたは前記容器の内容物への熱の伝達に応答して予め定めた非周囲温度に達するとき色が変わるようになされ、
そのさい前記スカート部分が容器端部の実質上すべてに対して密封されるとき、前記端部が熱伝達から実質上前記スカート部分を絶縁しかつ色の変化を発生せずそれにより密封完全性を指示し、そして
前記蓋が容器端部の実質上すべてに対して密封されないとき、熱伝達が前記スカート部分の密封されない部分を生じ、前記スカート部分の密封されない部分に前記カラー変化を発生しそれによって密封完全性の不足を目視指示する使い捨て飲料容器に対して密封完全性を指示するようになされた蓋を提供する。


【手続補正２６】
【補正対象書類名】明細書
【補正対象項目名】０００８
【補正方法】変更
【補正の内容】
【０００８】
第３の態様において、本発明は、使い捨て飲料容器用の蓋を提供し、前記蓋がともに押し出し成形された内方および外方層から形成されており、そのさい前記外方層がサーモクロミック特性を有する少なくとも１つの領域を含み、その領域が前記容器の内容物からまたは前記容器の内容物への熱の伝達に応答して予め定めた非周囲温度に達するとき色が変わるようになされる。


【手続補正２７】
【補正対象書類名】明細書
【補正対象項目名】０００９
【補正方法】変更
【補正の内容】
【０００９】
１つの形状において、前記蓋は実前記容器の開放端に実質上密封して係合するようになされたスカート部分を含みそして前記領域はスカート部分である。


【手続補正２８】
【補正対象書類名】明細書
【補正対象項目名】００１０
【補正方法】変更
【補正の内容】
【００１０】
前記領域は、好ましくは、前記内容物が予め定めた非周囲温度にあるとき、第１のカラーからこの第１のカラーより明るいかまたは暖かいトーンの、第２のカラーに変化する。


【手続補正２９】
【補正対象書類名】明細書
【補正対象項目名】００１１
【補正方法】変更
【補正の内容】
【００１１】
実施の形態において、前記スカート部分は、内容物が予め定めた加熱された非周囲温度にあるとき、明るい赤色に変化する。前記スカート部分は、好ましくは、内容物が予め定めた加熱された非周囲温度以下にあるとき、バイオレットである。前記予め定めた加熱された非周囲温度は、好ましくは、およそ４５°Ｃである。


【手続補正３０】
【補正対象書類名】明細書
【補正対象項目名】００１２
【補正方法】変更
【補正の内容】
【００１２】
他の実施の形態において、前記スカート部分は、前記内容物が予め定めた冷却された非周囲温度にあることを指示するように青色にカラーを変化する。前記スカート部分は、好ましくは、前記内容物が予め定めた冷却された非周囲温度以上にあるとき、バイオレットである。前記予め定めた冷却された非周囲温度はおよそ５°Ｃである。


【手続補正３１】
【補正対象書類名】明細書
【補正対象項目名】００１３
【補正方法】変更
【補正の内容】
【００１３】
蓋は、望ましくは、前記領域が温度屈性の特性を有する材料で含浸または混合されるプラスチック材料から形成される。サーモクロミック特性を有する前記材料は、望ましくは、サーモクロミック顔料、樹脂等、最も望ましくはクロミカラー（商標）である。


【手続補正３２】
【補正対象書類名】明細書
【補正対象項目名】００１４
【補正方法】変更
【補正の内容】
【００１４】
前記領域は、前記内容物が予め定めた非周囲温度にあるとき、前記蓋の残部に対して単語、記号またはパターンを好ましくは形成する。


【手続補正３３】
【補正対象書類名】明細書
【補正対象項目名】００１５
【補正方法】変更
【補正の内容】
【００１５】
前記領域が、好ましくは、その温度が周囲以上であるとき前記予め定めた非周囲温度以下に降下するかまたはその温度が周囲以下であるとき前記予め定めた非周囲温度以上に上昇する領域の温度に応答してそれらの元のカラーに戻るようになされる。


【手続補正３４】
【補正対象書類名】明細書
【補正対象項目名】００１６
【補正方法】変更
【補正の内容】
【００１６】
他の形状において、蓋は各々前記容器の内容物からまたは前記容器の内容物への熱の伝達に応答して異なっている非周囲温度に達するとき異なるカラーに変わるようになされる異なるサーモクロミック特性を有する少なくとも２つの領域を含んでいる。


【手続補正３５】
【補正対象書類名】明細書
【補正対象項目名】００１７
【補正方法】変更
【補正の内容】
【００１７】
第４の態様において、本発明は使い捨て飲料容器用の蓋を提供し、前記容器が１または複数の外部側壁によって画成される開放端および閉止端を有し、前記蓋が大きさおよび形状において前記容器の外部側壁に実質上対応する内部側壁を有する少なくとも１つの領域を含んでおり、そのさい前記蓋内部側壁が実質上それらの表面積全体にわたって、他の同様な容器の外部側壁に固定して摩擦係合するようになされる。




【国際調査報告】
2004520239.tif 000026
2004520239.tif 000027
2004520239.tif 000028
2004520239.tif 000029
2004520239.tif 000030